(57)【要約】      （修正有）【課題】組み立てが容易で、取り替え可能な塗装ヘッド容器を提供する。【解決手段】取り替え可能な塗装ヘッド容器は、容器１０と、フレキシブル塗装ヘッド２０と、インナーキャップ３０と、締付リング４０と、を備える。フレキシブル塗装ヘッド２０は、容器１０の取り付け壁１１に設けられ、締付リング４０の取り付けられたインナーキャップ３０が容器１０に係着される場合、その塗装部２１がインナーキャップ３０のキャップ３１の貫通孔３１１を貫通し、フレキシブル塗装ヘッド２０の裾部２２が締付リング４０と取り付け壁１１との間に挟まれることで、フレキシブル塗装ヘッド２０が取り付け壁１１に挟まれる。インナーキャップ３０の接続部３２を容器１０から取り外して分離すると、フレキシブル塗装ヘッド２０を外して洗浄や交換を行って、利用者の使用要求を満たすことができる。着脱しやすく、フレキシブル塗装ヘッド２０の緩みや脱落又は交換時の損傷を避け、組み立てにおける人件費を大きく高めることを避けることができる。【選択図】図２
0003229960.tif 000002
【実用新案登録請求の範囲】
【請求項１】
出口が設けられる取り付け壁を有する容器と、
塗装部と、前記塗装部の前記取り付け壁に向かう端部の外縁で延出して形成された裾部と、を含み、前記取り付け壁に設けられるフレキシブル塗装ヘッドと、
前記フレキシブル塗装ヘッドを前記取り付け壁に挟むことに用いられ、前記塗装部を貫通させるための貫通孔を有するキャップと、前記キャップに接続され、前記容器に取り外し可能に接続される接続部と、を含むインナーキャップと、
前記キャップの内側に取り付けられ、前記取り付け壁との間に前記裾部が挟まれる締付リングと、
を備えることを特徴とする取り替え可能な塗装ヘッド容器。
【請求項２】
前記インナーキャップの内壁に位置限定縁部が設けられ、前記位置限定縁部と前記キャップとの間に前記締付リングを位置限定するための位置限定溝が形成され、前記締付リングが前記位置限定溝内に回転するように取り付けられることを特徴とする請求項１に記載の取り替え可能な塗装ヘッド容器。
【請求項３】
前記締付リングの外縁は、球状面であることを特徴とする請求項１に記載の取り替え可能な塗装ヘッド容器。
【請求項４】
前記締付リングの前記裾部に向かう片側に、この裾部を挟むための締付構造が設けられることを特徴とする請求項１〜３の何れか１項に記載の取り替え可能な塗装ヘッド容器。
【請求項５】
前記締付構造は、鋸歯又は針状構造であり、前記裾部に刺し込むことを特徴とする請求項４に記載の取り替え可能な塗装ヘッド容器。
【請求項６】
前記接続部は、筒状になり、その内壁に雌ねじが設けられ、前記容器に前記雌ねじと嵌め合うように雄ねじが設けられることを特徴とする請求項１〜３の何れか１項に記載の取り替え可能な塗装ヘッド容器。
【請求項７】
前記キャップの内壁に、前記締付リングに当接する位置限定縁部が突出して形成されることを特徴とする請求項６に記載の取り替え可能な塗装ヘッド容器。
【請求項８】
前記容器に、前記接続部の底部の端面に当接するための位置限定台が設けられることを特徴とする請求項６に記載の取り替え可能な塗装ヘッド容器。
【請求項９】
前記インナーキャップに取り外し可能に接続されており、前記塗装部と外界とを隔離させるための外盖を更に備えることを特徴とする請求項１〜３の何れか１項に記載の取り替え可能な塗装ヘッド容器。
【請求項１０】
前記塗装部に前記出口と揃えるスルーホールが設けられ、前記取り付け壁が前記出口の周縁から延出して排液管ノズルを形成し、前記排液管ノズルが前記スルーホールに挿し込み、前記外盖の内頂面に前記排液管ノズルを塞ぐための棒ピストンが延出して形成されることを特徴とする請求項９に記載の取り替え可能な塗装ヘッド容器。
【請求項１１】
前記インナーキャップの外壁に係合縁が突出して形成され、前記外盖の内壁に前記係合縁と係合するための係合溝が設けられることを特徴とする請求項９に記載の取り替え可能な塗装ヘッド容器。
【請求項１２】
前記フレキシブル塗装ヘッドは、ニトリルゴム塗装ヘッド、スチレン・ブタジエンゴム塗装ヘッド、発泡プラスチック塗装ヘッド、エチレン酢酸ビニル共重合体塗装ヘッド又はポリエチレン架橋の塗装ヘッドであることを特徴とする請求項１〜３の何れか１項に記載の取り替え可能な塗装ヘッド容器。
【考案の詳細な説明】
【技術分野】
【０００１】
本考案は包装容器の技術分野に属し、特に取り替え可能な塗装ヘッド容器に関する。
【背景技術】
【０００２】
市販のフレキシブル塗装ヘッド製品は、一般的に、ビスコースで塗装ヘッドを固定する。例えば、特許番号ＵＳ５１２２１５８Ａ、ＵＳ６０５３１８４Ａの特許では、塗装ヘッドを取り外して取り替えることはできず、使用の場合、フレキシブル塗装ヘッドが汚染され又は損傷されると、製品全体が使用できなくて無駄になってしまう。この固定形態では、塗装ヘッドと内容液とが長時間に接触すると、ビスコースが変質して、塗装ヘッドを分離させるリスクがある。
【０００３】
また、市販のものとして、塗装ヘッドに環状切欠きをして固定用部材内に係止するフレキシブル塗装ヘッド製品がある。例えば、特許番号ＵＳ８５８５３０９Ｂ２、ＵＳ２０１１／０２００３８３Ａの特許があり、塗装ヘッドの切口の部分と固定用部材とは、ビスコースを使用せずに係合することができる。しかしながら、固定用部材とフレキシブル塗装ヘッドとの組み立てが困難であり、生産や組み立てのメカニカルオートメーションを達成させることができず、人件費が高くなる。
【考案の概要】
【考案が解決しようとする課題】
【０００４】
本考案は、取り替え可能な塗装ヘッド容器を提供することを目的とし、従来技術における塗装ヘッドがビスコースで固定されることで取り外すことができなく、塗装ヘッドが長時間に使用されると変質しやすく分離し、及び環状切欠きの塗装ヘッドを採用する場合に組み立てが困難であるという技術問題を解決することを旨とする。
【課題を解決するための手段】
【０００５】
本考案は、
出口が設けられる取り付け壁を有する容器と、
塗装部と、前記塗装部の前記取り付け壁に向かう端部の外縁で延出して形成された裾部と、を含み、前記取り付け壁に設けられるフレキシブル塗装ヘッドと、
前記フレキシブル塗装ヘッドを前記取り付け壁に挟むことに用いられ、前記塗装部を貫通させるための貫通孔を有するキャップと、前記キャップに接続され、前記容器に取り外し可能に接続される接続部と、を含むインナーキャップと、
前記キャップの内側に取り付けられ、前記取り付け壁との間に前記裾部が挟まれる締付リングと、
取り替え可能な塗装ヘッド容器を提供する。
【０００６】
更に、前記インナーキャップの内壁に位置限定縁部が設けられ、前記位置限定縁部と前記キャップとの間に前記締付リングを位置限定するための位置限定溝が形成され、前記締付リングが前記位置限定溝内に回転するように取り付けられる。
【０００７】
更に、前記締付リングの外縁は、球状面である。
【０００８】
更に、前記締付リングの前記裾部に向かう側に、この裾部を挟むための締付構造が設けられる。
【０００９】
更に、前記締付構造は、鋸歯又は針状構造であり、前記裾部に刺し込む。
【００１０】
更に、前記接続部は、筒状になり、その内壁に雌ねじが設けられ、前記容器に前記雌ねじと嵌め合うように雄ねじが設けられる。
【００１１】
更に、前記キャップの内壁に、前記締付リングに当接する位置限定縁部が突出して形成される。
【００１２】
更に、前記容器に、前記接続部の底部の端面に当接するための位置限定台が設けられる。
【００１３】
更に、前記インナーキャップに取り外し可能に接続されており、前記塗装部と外界とを隔離させるための外盖を更に備える。
【００１４】
更に、前記塗装部に前記出口と揃えるスルーホールが設けられ、前記取り付け壁が前記出口の周縁から延出して排液管ノズルを形成し、前記排液管ノズルが前記スルーホールに挿し込み、前記外盖の内頂面に前記排液管ノズルを塞ぐための棒ピストンが延出して形成される。
【００１５】
更に、前記インナーキャップの外壁に係合縁が突出して形成され、前記外盖の内壁に前記係合縁と係合するための係合溝が設けられる。
【００１６】
更に、前記フレキシブル塗装ヘッドは、ニトリルゴム塗装ヘッド、スチレン・ブタジエンゴム塗装ヘッド、発泡プラスチック塗装ヘッド、エチレン酢酸ビニル共重合体塗装ヘッド又はポリエチレン架橋の塗装ヘッドである。
【考案の効果】
【００１７】
フレキシブル塗装ヘッドが容器の取り付け壁に設けられ、締付リングが取り付けられたインナーキャップを容器に係着すると、フレキシブル塗装ヘッドは、その塗装部がインナーキャップのキャップ部の貫通孔を貫通し、その裾部が締付リングと取り付け壁との間に挟まれることで、取り付け壁に挟まれるようになる。容器の出口から送り出された内容液が塗装ヘッドの表面に流れると、拭くことができる。インナーキャップの接続部を容器から取り外して分離すると、塗装ヘッドを外して洗浄や交換を行い、利用者の使用要求を満たすことができる。着脱しやすく、締付リングによってフレキシブル塗装ヘッドを効果的に固定し、塗装ヘッドの緩みや脱落又は交換時の損傷を避け、従来にビスコースによって塗装ヘッドを固定する場合に着脱や交換ができず、及びのりと内容液との接触による塗装ヘッドの脱落のリスクを避けると共に、従来の環状切欠きの塗装ヘッドが組み立てにくく自動化生産できないことによる人件費が大きく高めることを避けることができる。
【００１８】
本考案の実施例における技術的解決手段をより明らかにするために、以下、実施例を説明するための図面を簡単に説明する。明らかに分かるように、ここで説明される具体的な図面は本考案の実施例に過ぎず、当業者であれば、創造的な努力を与えずに、これらの図面に基づいて他の図面を取得することもできる。
【図面の簡単な説明】
【００１９】
【図１】本考案の実施例の提供する取り替え可能な塗装ヘッド容器の前面図である。
【図２】図１の取り替え可能な塗装ヘッド容器の立体分解図である。
【図３】図１の取り替え可能な塗装ヘッド容器の断面図である。
【図４】図３の取り替え可能な塗装ヘッド容器の局部拡大図である。
【図５】図３の取り替え可能な塗装ヘッド容器の分解図である。
【図６】図１の取り替え可能な塗装ヘッド容器の前面図である（外盖が示されていない）。
【図７】図６の取り替え可能な塗装ヘッド容器の断面図である。
【考案を実施するための形態】
【００２０】
本考案の目的、技術的解決手段及び利点をより明らかにするために、以下、図面及び実施例に合わせて本考案をより詳細に説明する。ここで説明される具体的な実施例は本考案を解釈するためのものに過ぎず、本考案を限定するためのものではないことを理解すべきである。
【００２１】
説明すべきなのは、ある素子が別の素子「に固定される」又は「に設けられる」といわれる場合、直接別の素子或いは間接この別の素子にされてもよい。ある素子が別の素子「に接続される」といわれる場合、直接別の素子又は間接この別の素子に接続されてもよい。
【００２２】
理解すべきなのは、「長さ」、「幅」、「上」、「下」、「前」、「後」、「左」、「右」、「垂直」、「水平」、「頂上」、「底」「内」、「外」等の方位や位置関係を示す用語は、図面に示す方位や位置関係に基づいたものであり、本考案を説明し及び説明を簡単化するためのものだけであり、この装置又は素子が必ず特定な方位を有し、特定な方位で構造及び操作されなければならないことを指示又は示唆するものではなく、本考案に対する制限として理解されるべきものでもない。
【００２３】
図１〜図３、図６、図７を参照されたい。取り替え可能な塗装ヘッド容器は、容器１０と、フレキシブル塗装ヘッド２０と、インナーキャップ３０と、締付リング４０と、を備える。容器１０は、取り付け壁１１を有し、取り付け壁１１に出口１１１が設けられる。フレキシブル塗装ヘッド２０は、取り付け壁１１に設けられ、塗装部２１と、塗装部２１の取り付け壁１１に向かう端部の外縁で延出して形成された裾部２２と、を含む。インナーキャップ３０は、フレキシブル塗装ヘッド２０を取り付け壁１１に挟むことに用いられ、キャップ３１と、キャップ３１に接続される接続部３２と、を含む。キャップ３１は、塗装部２１を貫通させるための貫通孔３１１を含む。接続部３２は、容器１０に取り外し可能に接続される。締付リング４０は、キャップ３１の内側に取り付けられる。裾部２２は、締付リング４０と取り付け壁１１との間に挟まれる。
【００２４】
フレキシブル塗装ヘッド２０が容器１０の取り付け壁１１に設けられ、締付リング４０が取り付けられたインナーキャップ３０を容器１０に係着すると、フレキシブル塗装ヘッド２０は、その塗装部２１がインナーキャップ３０のキャップ３１の貫通孔３１１を貫通し、その裾部２２が締付リング４０と取り付け壁１１との間に挟まれことで、取り付け壁１１に挟まれるようになる。容器１０の出口１１１から送り出された内容液がフレキシブル塗装ヘッド２０の表面に流れると、塗ることができる。インナーキャップ３０の接続部３２を容器１０から取り外して分離すると、フレキシブル塗装ヘッド２０を外して洗浄や交換を行い、利用者の使用要求を満たすことができる。着脱しやすく、締付リング４０によってフレキシブル塗装ヘッド２０を効果的に固定し、フレキシブル塗装ヘッド２０の緩みや脱落又は交換時の損傷を避け、従来のビスコースによって塗装ヘッドを固定する場合に着脱や交換ができず及びのりと内容液との接触による塗装ヘッドの脱落のリスクを避けると共に、従来の環状切欠きの塗装ヘッドが組み立てにくく自動化生産できないことによる人件費が大きく高めることを避けることができる。
【００２５】
容器１０は、内容液を入れることに用いられる。フレキシブル塗装ヘッド２０は、柔らかくて弾性があり、内容液をその内部から表面に送ることができる。フレキシブル塗装ヘッド２０において、塗装部２１と裾部２２とは一体成型であり、製造しやすい。裾部２２が塗装部２１の端部の外周に設けられ、フレキシブル塗装ヘッド２０の断面が逆「Ｔ」形になる。フレキシブル塗装ヘッド２０は、容器１０の取り付け壁１１に平らに置かれる。この取り替え可能な塗装ヘッド容器は、化粧品及び薬品分野に好適に用いられる。
【００２６】
更に、図３〜図５を参照されたい。本考案が提供する取り替え可能な塗装ヘッド容器の１つの具体的な実施形態として、インナーキャップ３０の内壁に位置限定縁部３２１が設けられ、位置限定縁部３２１とキャップ３１との間に締付リング４０を位置限定するための位置限定溝３２２が形成され、締付リング４０が位置限定溝３２２内に回転するように取り付けられる。この方法は、組み立てやすく、締付リング４０が位置限定溝３２２内に位置限定されてインナーキャップ３０の軸線の周りを回るしかできない。締付リング４０が取り付けられたインナーキャップ３０を容器１０に接続する場合、締付リング４０がフレキシブル塗装ヘッド２０の裾部２２に当接することで、組み立て過程中のフレキシブル塗装ヘッド２０の損傷が避けられる。位置限定溝３２２が環状になり、締付リング４０の外縁が位置限定溝３２２内に収納されることができる。
【００２７】
更に、本考案の提供する取り替え可能な塗装ヘッド容器の具体的な実施形態として、締付リング４０の外縁は球状面４１である。滑らかな球状面４１により、インナーキャップ３０の内壁との摩擦力を低下させ、締付リング４０がインナーキャップ３０の内壁でより容易に回転するようにすることができる。球状面４１は、製造しやすく、摩擦力を効果的に低下させることができる。締付リング４０の球状面４１が位置限定溝３２２内に置かれる場合、締付リング４０は、より容易に回転でき、位置限定溝３２２内に位置限定されることができる。
【００２８】
更に、本考案の提供する取り替え可能な塗装ヘッド容器の具体的な実施形態として、締付リング４０の裾部２２に向かう側に、この裾部２２を挟むための締付構造４２が設けられる。締付構造４２とフレキシブル塗装ヘッド２０の裾部２２との挟み力が十分である。インナーキャップ３０が回転する場合、締付リング４０をつれて回転するように連動させることでフレキシブル塗装ヘッド２０が折り曲がって損傷することはなく、フレキシブル塗装ヘッド２０を効果的に締めることができる。同様に、フレキシブル塗装ヘッド２０を回して外す場合にも、フレキシブル塗装ヘッド２０が折り曲がって損傷することはない。締付構造４２が締付リング４０の内縁に近づいて設けられ、位置限定縁部３２１と締付構造４２とが対向して設けられる。裾部２２が位置限定縁部３２１と締付構造４２との間に挟んで設けられる。締付リング４０は、フレキシブル塗装ヘッド２０の裾部２２を締付リング４０と取り付け壁１１との間に効果的に挟まれ、フレキシブル塗装ヘッドの使用中の滑り又は緩みや脱落を防止することができる。
【００２９】
更に、本考案の提供する取り替え可能な塗装ヘッド容器の具体的な実施形態として、締付構造４２は、鋸歯又は針状構造であり、裾部２２に刺し込む。この構造は製造しやすく、締付リング４０とフレキシブル塗装ヘッド２０の裾部２２との挟み力を向上させ、フレキシブル塗装ヘッド２０の使用中の滑り又は緩みや脱落を防止することができる。鋸歯は、締付リング４０の内縁と面一である垂直面４２１及び締付リング４０の片側から締付リング４０の軸線へ傾斜して延出する傾斜面４２２を有する。鋸歯が裾部２２に刺し込み、傾斜面４２２が裾部２２の縦方向に沿って外へ向かって裾部２２に当接すると共に、裾部２２の外周がインナーキャップ３０の内壁により当接されることで、裾部２２が縦方向に沿ってインナーキャップ３０に挟まれるようになり、締付リング４０とフレキシブル塗装ヘッド２０の裾部２２との挟み力を効果的に向上させ、フレキシブル塗装ヘッド２０の使用中の滑り又は緩みや脱落を防止することができる。
【００３０】
更に、図２〜図５を参照されたい。本考案の提供する取り替え可能な塗装ヘッド容器の具体的な実施形態として、接続部３２は、筒状になり、その内壁に雌ねじ３２３が設けられる。容器１０に雌ねじ３２３に嵌め合うように雄ねじ１２が設けられる。インナーキャップ３０と容器１０とが確実に接続され、着脱しやすい。締付リング４０の取り付けられるインナーキャップ３０を容器１０に係着すると、インナーキャップ３０が回転する場合に締付リング４０を下へしっかり押さえる。締付リング４０が独立して設けられるので、インナーキャップ３０が回転する場合、締付リング４０をつれて回転するように連動させることでフレキシブル塗装ヘッド２０が折り曲がって損傷することはなく、効果的に締めることができ、同様に、回して外す場合にもフレキシブル塗装ヘッド２０が折り曲がって損傷することはない。
【００３１】
更に、図３、図４を参照されたい。本考案の提供する取り替え可能な塗装ヘッド容器の具体的な実施形態として、キャップ３１の内壁に位置限定縁部３１２が突出して形成される。位置限定縁部３１２が締付リング４０に当接する。この構造は製造しやすく、締付リング４０を軸方向に位置決めすることができる。インナーキャップ３０が容器１０に接続される場合、締付リング４０は、フレキシブル塗装ヘッド２０の裾部２２を押すことで、フレキシブル塗装ヘッド２０を容器１０に固定することができる。
【００３２】
更に、本考案の提供する取り替え可能な塗装ヘッド容器の具体的な実施形態として、容器１０に、接続部３２の底部の端面に当接するための位置限定台１３が設けられる。これにより、インナーキャップ３０が容器１０に確実に接続される。
【００３３】
更に、本考案の提供する取り替え可能な塗装ヘッド容器の具体的な実施形態として、インナーキャップ３０に取り外し可能に接続されており、塗装部２１と外界とを隔離させるための外盖５０を更に備える。外盖５０は、インナーキャップ３０とフレキシブル塗装ヘッド２０外に組み立てられ、塗装部２１を保護する。
【００３４】
更に、図３、図５、図７を参照されたい。本考案の提供する取り替え可能な塗装ヘッド容器の具体的な実施形態として、塗装部２１に出口１１１と揃えたスルーホール２１１が設けられる。取り付け壁１１が出口１１１の周縁から延出して排液管ノズル１４を形成する。排液管ノズル１４がスルーホール２１１に挿し込む。外盖５０の内頂面に排液管ノズル１４を塞ぐための棒ピストン５１が延出して形成される。排液管ノズル１４により、容器１０の内容液が塗装部２１のスルーホール２１１を介して塗装部２１の表面に容易に送られる。外盖５０により被られる場合、内容物が流れ出さないように、棒ピストン５１が排液管ノズル１４の端孔を塞ぐ。排液管ノズル１４の端孔に面取り１４１が設けられるので、棒ピストン５１の端部が排液管ノズル１４に容易に伸びる。
【００３５】
更に、本考案の提供する取り替え可能な塗装ヘッド容器の具体的な実施形態として、インナーキャップ３０の外壁に、係合縁３２４が突出して形成される。外盖５０の内壁に、係合縁３２４と係合するための係合溝５２が設けられる。これにより、外盖５０がインナーキャップ３０に取り外し可能に接続され、着脱しやすい。
【００３６】
更に、本考案の提供する取り替え可能な塗装ヘッド容器の具体的な実施形態として、フレキシブル塗装ヘッド２０がニトリルゴム（ｎｉｔｒｉｌｅ  ｒｕｂｂｅｒ；ＮＢＲ）塗装ヘッド、スチレン・ブタジエンゴム（ｓｔｙｒｅｎｅ−ｂｕｔａｄｉｅｎｅ  ｒｕｂｂｅｒ；ＳＢＲ）塗装ヘッド、発泡プラスチック（ポリウレタン樹脂（Ｐｏｌｙ  Ｕｒｅｔｈａｎｅ  ｒｅｓｉｎ；ＰＵＲ））塗装ヘッド、エチレン酢酸ビニル共重合体塗装ヘッド（ＥＶＡ）又はポリエチレン架橋（ＰＥスポンジフォーム）の塗装ヘッドの何れでも、塗装ヘッドの機能を達成させることができ、具体的には、必要に応じて選用すればよい。
【００３７】
上記は本考案の好ましい実施例に過ぎず、本考案を制限するためのものではなく、本考案の精神及び原則においてなされたあらゆる変更、等価取替及び改良等は、本考案の保護範囲に含まれるはずである。
【符号の説明】
【００３８】
１０  容器
１１  取り付け壁
１３  位置限定台
１４  排液管ノズル
２０  フレキシブル塗装ヘッド
２１  塗装部
２２  裾部
３０  インナーキャップ
３１  キャップ
３２  接続部
４０  締付リング
４１  球状面
４２  締付構造
５０  外盖
５１  棒ピストン
５２  係合溝
１１１  出口
２１１  スルーホール
３１１  貫通孔
３１２  位置限定縁部
３２１  位置限定縁部
３２２  位置限定溝
３２４  係合縁
４２１  垂直面
４２２  傾斜面
【図１】
0003229960.tif 000003
【図２】
0003229960.tif 000004
【図３】
0003229960.tif 000005
【図４】
0003229960.tif 000006
【図５】
0003229960.tif 000007
【図６】
0003229960.tif 000008
【図７】
0003229960.tif 000009